(57)【要約】【課題】  従来技術は、記録媒体収容ケースの盗難防止具であり、構造や目的等が異なるものである。また、盗難防止タグで、ワイヤーとロック金具を設けてある。よって、ギターに取り付けて使用できるものではなく、色々な陳列が出来る形態でもない。【解決手段】  防止具本体に、スプリングとストパッーからなるロック具を設けると共に、防止具本体の一端に、ギターのネックに取り付けるワイヤーの一端を固定し、ワイヤーの他端に、ストッパーと連結する連結部を設け、ワイヤーの内寸がギターのヘッド外寸より小さくしてなることを特徴とする。【選択図】図１
2013123639.tif 000002
【特許請求の範囲】
【請求項１】
防止具本体に、スプリングとストッパーからなるロック具を設けると共に、防止具本体の一端に、ギターのネックに取り付けるワイヤーの一端を固定し、ワイヤーの他端に、ストッパーと連結する連結部を設け、ワイヤーの内寸がギターのヘッド外寸より小さくしてなることを特徴とするギター用盗難防止具。
【請求項２】
防止具本体に、外したワイヤーの連結部の下方を係止する係止部を設けてなることを特徴とする請求項１記載のギター用盗難防止具。
【請求項３】
ロック具を解錠する手法として磁石を用いることを特徴とする請求項１又は２記載のギター用盗難防止具。
【請求項４】
防止具本体に、壁に陳列するための固定具を設けてなることを特徴とする請求項１、２又は３記載のギター用盗難防止具。
【請求項５】
ギタースタンドのネック支持部の下方に取り付けるべく、防止具本体に取付具を設けてなることを特徴とする請求項１、２又は３記載のギター用盗難防止具。
【請求項６】
ギターのネックを吊支する吊支具に取り付けるべく、反転させた防止具本体にアダプターを設けてなることを特徴とする請求項１、２又は３記載のギター用盗難防止具。
【発明の詳細な説明】
【技術分野】
【０００１】  本発明は、ギターのネックに取り付ける盗難防止具に関するものである。
【背景技術】
【０００２】  従来技術としては、ＤＶＤ、ＣＤ等の記録媒体を収容する為の収容ケースにおいて、該収容ケースは本体ケースと蓋から成って、該蓋は薄肉化した継手部を介して開閉可能に取付けられ、又、盗難防止の為にロック部材を挿入して開くことが出来ない構造としており、そして薄肉化された上記継手部がカッターなどで切断されても開口しないように継手部側の本体ケースと蓋には互いに噛み合う係合溝と係合片を設けたことを特徴とするＤＶＤ等の記録媒体収容ケースがある。（特許文献１参照）【０００３】  また、別の従来技術として、盗難防止対象の物品に通されるワイヤと、少なくとも該ワイヤの一端に形成された係合端子と、該係合端子を挿抜可能に保持する保持部とから構成される盗難防止タグであって、該保持部には、該係合端子の挿抜口となる開口部を有するとともに挿入された係合端子をロックするロック金具を備え、該係合端子の側面形状に形成された該係合端子の挿抜をガイドするガイド部を有する盗難防止タグがある。（特許文献２参照）
【先行技術文献】
【特許文献】
【０００４】
【特許文献１】特開２０１０−１００３００号公報
【特許文献２】特開２０１１−１０８０１１号公報
【発明の概要】
【発明が解決しようとする課題】
【０００５】  上記前者は、記録媒体収容ケースの盗難防止具であり、構造や目的等が異なるものである。【０００６】  上記後者は、盗難防止タグで、ワイヤーとロック金具を設けてある。
よって、ギターに取り付けて使用できるものではなく、又、本発明のような、色々な陳列が出来る形態でもない。【０００７】  本発明は、このような従来の構成が有していた問題を解決しようとするものであり、防止具本体内にロック具とギターのネックに取り付けるワイヤーとから構成することによりギター専用の盗難防止具として使用できる。
係止部により、ワイヤーを一定の位置に保持できる。
特殊な磁石により管理者のみが解錠できる。
固定具や取付具、止具を設けることにより壁・ギタースタンド・ギター吊支具に取り付けられ、展示方法により色々選択できるギター用盗難防止具を提供することを目的とする。
【課題を解決するための手段】
【０００８】  本発明は、上記目的を達成するため、防止具本体に、スプリングとストッパーからなるロック具を設けると共に、防止具本体の一端に、ギターのネックに取り付けるワイヤーの一端を固定し、ワイヤーの他端に、ストッパーと連結する連結部を設け、ワイヤーの内寸がギターのヘッド外寸より小さくしてなること。防止具本体に、外したワイヤーの連結部の下方を係止する係止部を設けてなること。ロック具を解錠する手法として磁石を用いること。防止具本体に、壁に陳列するための固定具を設けてなること。ギタースタンドのネック支持部の下方に取り付けるべく、防止具本体に取付具を設けてなること。ギターのネックを吊支する吊支具に取り付けるべく、反転させた防止具本体にアダプターを設けてなることを特徴とする。
【発明の効果】
【０００９】１）、防止具本体に、ロック具を設け、ワイヤーの一端を固定し、他端を着脱自在に設け、ワイヤーの内寸をギターのヘッド外寸より小さくすることにより、確実にギターのネックをホールドでき、盗難を防止できるものである。
２）、係止部によりワイヤーを邪魔にならないよう係止できる。
３）、特殊な強力磁石により、解錠するため、一般に市販されている磁石では解錠できない。
４）、固定具により、壁に陳列して盗難を防止できる。
５）、取付具をギタースタンドに設けることにより、ギタースタンドにギターを置く陳列にも盗難防止できる。
６）、吊支具により、ギターのネックを吊った状態で展示でき、かつ盗難防止できるものである。
【図面の簡単な説明】
【００１０】
【図１】  本発明の第１実施例のギター用盗難防止具を示す構成斜視図である。
【図２】  本発明の第１実施例のギター用盗難防止具を示す平面図である。
【図３】  本発明の第１実施例のギター用盗難防止具を示す縦断側面である。
【図４】  本発明の第１実施例のギター用盗難防止具を示す磁石を近づけ解錠された縦断側面状態図。
【図５】  本発明の第１実施例のギター用盗難防止具を示す連結具が解錠された縦断側面状態図。
【図６】  本発明の第１実施例のギター用盗難防止具を示す連結具が解錠された平面状態図。
【図７】  本発明の第２実施例のギター用盗難防止具を示す平面図。
【図８】  本発明の第２実施例のギター用盗難防止具を示す正面図。
【図９】  本発明の第２実施例のギター用盗難防止具を示す側面図。
【図１０】  本発明の第２実施例のギター用盗難防止具を示す壁に取り付けた陳列状態図。
【図１１】  本発明の第３実施例のギター用盗難防止具を示す斜視図。
【図１２】  本発明の第３実施例のギター用盗難防止具を示すギタースタンドに取り付けた陳列状態図。
【図１３】  本発明の第４実施例のギター用盗難防止具を示す平面図。
【図１４】  本発明の第４実施例のギター用盗難防止具を示す正面図。
【図１５】  本発明の第４実施例のギター用盗難防止具を示す側面図。
【図１６】  本発明の第４実施例のギター用盗難防止具の組立状態図。
【図１７】  本発明の第４実施例のギター用盗難防止具を示すレールに取り付けた陳列状態図。
【発明を実施するための形態】
【００１１】  １は、ギター用盗難防止具である。
２は、防止具本体で、本体上部２ａ・本体２ｂ・固定部２ｃとから構成される。
本体上部２ａは、一端にワイヤーの一端を固定する上挟持部２ａ１を、他端に後述するワイヤーの連結部を挿入する突筒２ａ２１・上ロックカバー部２ａ２をそれぞれ形設すると共に、後述するワイヤーの連結部下方を係止するフック状の係止部２ａ３を突設してある。
本体下部２ｂは、一端に上記上挟持部２ａ１に係合する下挟持部２ｂ１を、他端に上記上ロックカバー部２ａ２に係合する下ロックカバー部２ｂ２をそれぞれ形設してある。
固定部２は、上記本体下部２ｂの下面に取り付けるもので、中央に後述する固定具の固定板を固定する固定溝２ｃ１を形成してある。
３は、ワイヤーで、係止孔３ａ１を設けた連結部３ａを設けてなるものである。（ワイヤー３の内寸Ｎはギターヘッドの外寸ＨＳより小さい）
４は、スプリング４ａとストッパー４ｂからなるロック具で、上記上ロックカバー２ａ２の突筒２ａ２１内に内設してなる。（図１〜図３参照）
【００１２】  上記ギター用盗難防止具１の使用例について説明する。
ロック状態からロック解錠する時は、磁石Ｇを突筒２ａ２１の上面に当接することにより、ロック具４のスプリング４ａが圧縮されると同時にストッパー４ｂが上昇し、ワイヤー３の連結部３ａの係止孔３ａ１からストッパー４ｂが外れることにより連結部３ａを解錠（引き抜く）することができる。（図４〜図６参照）
【００１３】  第２実施例のギター用盗難防止具について説明する。
ギター用盗難防止具２１は、前記のギター用盗難防止具１に、ギターのヘッドの下端を吊支するＹ字形の吊支具と壁に陳列するための固定具５を設けたものである。
固定具５は、固定部２ｃの固定溝２ｃ１に、コの字形の固定板５ａの先端に吊支具Ｔを取り付けると共に、固定板５ａの後部に壁に陳列するためのビス孔５ｂ１を穿設した支持板５ｂを設けてある。（図７〜図９参照）
【００１４】  このギター用盗難防止具２１の使用例として、例えば楽器店ＧＫＴの壁Ｋの所要位置に固定具５の支持板５ｂのビス孔５ｂ１にビスＢを螺入して固定する。
その後、吊支具ＴにギターＧＴのヘッドＨＤの下部を引っ掛けて吊支する。
つづいて、ワイヤー３の連結部３ａをロック具４に差し込んで陳列するものである。（図１０参照）
【００１５】  第３実施例のギター用盗難防止具について説明する。
ギター用盗難防止具３１は、前記ギター用盗難防止具１の防止具本体２の上ロックカバー部２ａ２の上面に、ギタースタンドＧＳのネック支持部ＮＳの下部に取り付けるべく取付具６ビス止ＸＢＤを設けてなるものである。（図１１参照）
【００１６】  このギター用盗難防止具３１は、一般に市販されているギタースタンドＧＳのネック支持部ＮＳの下部に、取付具６を取り外した状態で当接し、その上方より取付具６をビス止メＢＤするもので、通常のギタースタンドＧＳとして陳列するものである。（図１２参照）
【００１７】  第４実施例のギター用盗難防止具について説明する。
ギター用盗難防止具４１は、前記ギター用盗難防止具１の防止具本体２を反転させ、固定部２ｃを上方にした状態で、受片７ａと引掛片７ｂとからなる略Ｌ字形のアダプター７の受片７ａを固定部２ｃの固定溝２ｃ１に挿入固定し、フック片Ｆ・Ｆを設けた吊支具Ｔ１の上端面に当接する。（図１３〜図１６参照）
【００１８】  このギター用盗難防止具４１は、例えば楽器店ＧＫＴ１の壁Ｋ１の所要位置に設けたレールＲに、フックＦ・Ｆを引っ掛けて取り付ける。
この状態で、前記同様にギターＧＴ１の盗難を防止できるものである。（図１７参照）
【００１９】  上記各実施例において、各種部位の材質は特に限定するものではない。
又、固定具・取付具・アダプターにおいては、同様な機能等があれば他の形状でもよい。
【符号の説明】
【００２０】１−−−ギター用盗難防止具
２−−−防止具本体
３−−−ワイヤー
４−−−ロック具
５−−−固定具
６−−−取付具
Ｇ−−−磁石
Ｔ−−−吊支具
【図１】
2013123639.tif 000003
【図２】
2013123639.tif 000004
【図３】
2013123639.tif 000005
【図４】
2013123639.tif 000006
【図５】
2013123639.tif 000007
【図６】
2013123639.tif 000008
【図７】
2013123639.tif 000009
【図８】
2013123639.tif 000010
【図９】
2013123639.tif 000011
【図１０】
2013123639.tif 000012
【図１１】
2013123639.tif 000013
【図１２】
2013123639.tif 000014
【図１３】
2013123639.tif 000015
【図１４】
2013123639.tif 000016
【図１５】
2013123639.tif 000017
【図１６】
2013123639.tif 000018
【図１７】
2013123639.tif 000019